(57)【特許請求の範囲】
【請求項１】
操作釦を押し下げて噴出管を押し込み、容器本体内の内容物を前記噴出管を通して、前記操作釦に設けるノズル部から噴出する噴出容器において、
前記容器本体に取り付ける取付部材と、その取付部材に係合して上下動可能に設け、不使用時は上動してロック位置とし、前記操作釦の押し下げを阻止する一方、使用時は下動してロック解除位置とし、その押し下げを可能とするロック部材とを備え、
前記ロック部材をロック位置としたとき、そのロック部材内に前記操作釦のノズル部を収納し、該操作釦の上部に設ける段部を前記ロック部材に当てて前記操作釦の押し下げを阻止する一方、
前記取付部材と前記ロック部材のいずれか一方に突部を、他方にその突部が係合する溝部を形成するとともに、その溝部の両端に前記突部が入り込んで前記ロック部材をロック位置またはロック解除位置に位置決めする嵌合凹部を形成してなる、噴出容器。
【請求項２】
前記ロック部材を筒形状とし、前記噴出管のまわりに設けてなる、請求項１に記載の噴出容器。
【請求項３】
前記嵌合凹部の入り口に、前記突部と係合して前記ロック部材の操作にクリック感を付与する小突起を設けてなる、請求項１または２に記載の噴出容器。
【発明の詳細な説明】
【０００１】
【発明の属する技術分野】
この発明は、操作釦に手を掛けて押し下げ、噴出管を押し込むことにより、容器本体内の内容物を吐出して噴出管を通して、操作釦に設けるノズル部から液状・霧状・泡状・粉末状等で噴出する噴出容器に関する。化粧用・芳香用・洗浄用・清掃用・殺虫用・除菌用・塗装用などの各種の、特にポンプ式のものにおいて用いると有効な噴出容器に関する。
【０００２】
【従来の技術】
従来、この種の噴出容器にあっては、たとえば納入時や輸送時や携行時などに、意に反して操作釦を押し下げ、容器本体内の内容物を誤ってノズル部から噴出することがあった。このような誤りをなくすため、従来の噴出容器の中には、不使用時は、操作釦を押し下げた状態で容器本体側にねじ付けて、操作釦の往復動作を規制するものがある。
【０００３】
しかし、このような噴出容器においては、内容物を誤って噴出することを阻止すべく、操作釦を押し下げると、内容物がノズル部から噴出するから、そのたびごとに容器本体内の内容物を無駄に消費することとなる問題があった。また、ポンプ式の噴出容器の場合には適用できるが、エアゾール式の噴出容器には適用できない問題があった。
【０００４】
このため、従来の噴出容器の中には、たとえば図１１に示すように、容器本体１の口部１ａにポンプ装置ｐを取り付け、そのポンプ装置ｐのネジキャップ２に上向きの規制突起３を一体に形成し、不使用時は図示するとおりその規制突起３で操作釦４の押し下げを規制し、使用時は該操作釦４を矢示方向に水平回動することにより規制突起３とずらせて操作釦４の押し下げを可能とするものがある（特開平８−９８７８４号公報参照）。
【０００５】
【発明が解決しようとする課題】
ところが、このような従来の噴出容器には、
１）規制突起３が常に上向きに突出したままの状態であるから、使用時には操作釦４の押し下げ操作の邪魔になる
【０００６】
２）操作釦４が容易に水平回動することにより規制突起３とずれて操作釦４の押し下げが簡単に可能となるから、操作釦４の回動を阻止すべくそれと規制突起３との間にテープ５を貼り付けなければならないなどの面倒がある
【０００７】
３）噴出管６のまわりで一部規制突起３のみが上向きに突出し、見栄えがよくない
【０００８】
４）不使用時にノズル部４ａにほこりがつくことを防ぐには、操作釦４に別途キャップカバーを被せる必要がある
などの問題があった。
【０００９】
そこで、この発明の第１の課題は、上述したような噴出容器において、内容物の無駄な消費をなくすとともに、使用時における操作釦の操作性を向上することにある。
【００１０】
第２の課題は、不使用時の見栄えをよくするとともに、操作釦が不用意にロック解除されることを防止することにある。
【００１１】
第３の課題は、不使用時の見栄えをよくするとともに、別途キャップカバーを被せる必要なく、ノズル部等にほこりがつくことを防止することにある。
【００１２】
第４の課題は、ロック部材の位置決め操作性を向上するとともに、位置決め操作の確実性を高めることにある。
【００１３】
【課題を解決するための手段】
そのため、この発明は、上述した第１、第３、第４の課題を達成すべく、操作釦を押し下げて噴出管を押し込み、容器本体内の内容物を噴出管を通して、操作釦に設けるノズル部から噴出する噴出容器において、
容器本体に取り付ける取付部材と、その取付部材に係合して上下動可能に設け、不使用時は上動してロック位置とし、操作釦の押し下げを阻止する一方、使用時は下動してロック解除位置とし、その押し下げを可能とするロック部材とを備え、
前記ロック部材をロック位置としたとき、そのロック部材内に前記操作釦のノズル部を収納し、該操作釦の上部に設ける段部を前記ロック部材に当てて前記操作釦の押し下げを阻止する一方、
前記取付部材と前記ロック部材のいずれか一方に突部を、他方にその突部が係合する溝部を形成するとともに、その溝部の両端に前記突部が入り込んで前記ロック部材をロック位置またはロック解除位置に位置決めする嵌合凹部を形成してなる、ことを特徴とする。
【００１４】
請求項２に係る発明は、上述した第２の課題を達成すべく、そのような請求項１に記載の噴出容器において、ロック部材を筒形状とし、噴出管のまわりに設けてなる、ことを特徴とする。
【００１７】
請求項３に係る発明は、上述した第４の課題を達成すべく、そのような請求項１または２に記載の噴出容器において、嵌合凹部の入り口に、突部と係合してロック部材の操作にクリック感を付与する小突起を設けてなる、ことを特徴とする。
【００１８】
【発明の実施の形態】
以下、図面を参照しつつ、この発明の実施の形態につき説明する。
図１には、この発明による噴出容器における不使用時の中央部分縦断面を示す。図２には、その背面側から見た外観を示す。
【００１９】
図中符号１０は、ボトル状の樹脂製容器本体である。容器本体１０は、内部に内容物として、たとえば化粧用液体を収納してなる。そして、その口部１０ａに、ポンプ装置Ｐを取り付ける。
【００２０】
ポンプ装置Ｐは、容器本体１０の口部１０ａに、取付部材であるネジキャップ１２をねじ付けることにより取り付ける。ネジキャップ１２は、図３（Ａ）および（Ｂ）にも示すように、キャップ部１４と、その頂部から上向きに高く突出する内筒部１５と、低く突出する外筒部１６とを備える。
【００２１】
キャップ部１４には、後述するロック部材１８を収納する環状凹部１４ａを上向きに開口して設ける。内筒部１５には、頂部１５ａに中心孔１５ｂをあける。また、外筒部１６には、周方向に間隔をあけて矩形状の切欠き１６ａを４つ設け、４つの円弧部１６ｂを残すとともに、それらの対向する円弧部１６ｂの周面に各々突部１６ｃを形成してなる。各突部１６ｃは、細長で、中心軸ｏに対して角度θで傾斜するように設けてなる。
【００２２】
そのようなネジキャップ１２には、外筒部１６の外側に、上から各突部１６ｃを溝部１９に係合して、ロック部材１８を取り付ける。ロック部材１８は、図４ならびに図５（Ａ）および（Ｂ）に示すように、上縁外径が下縁外径よりほんの少し小さな筒形状とする。
【００２３】
そして、そのロック部材１８の内面には、対向する位置に溝部１９を形成する。各溝部１９は、中心軸ｏに対して角度θ傾斜する傾斜部１９ａと、その上端に設ける上嵌合凹部１９ｂと、下端に設ける下嵌合凹部１９ｃとを有する。各嵌合凹部１９ｂ・１９ｃの入り口には、突部１６ｃと係合してロック部材１８の操作にクリック感を付与する小突起ａ・ｂをそれぞれ設けてなる。
【００２４】
ロック部材１８は、ネジキャップ１２に係合して上下動可能に設けるが、図１および図２に示す状態では、回動して上動し、小突起ｂを乗り越えて突部１６ｃを下嵌合凹部１９ｃ内に入れ、突部１６ｃの上端面ｍに下嵌合凹部１９ｃの下向き段部ｎを突き当てて該ロック部材１８の下動を阻止し、ロック位置で位置決め保持してなる。
【００２５】
一方、ネジキャップ１２の内筒部１５内には、頂部１５ａに突き当ててパッキン２０を入れる。そして、そのパッキン２０を圧縮してシリンダ２２を収納する。シリンダ２２には、下端部外周に吸上げ管２３の上端部を取り付ける。吸上げ管２３は、下端部を容器本体内１０内の底部までのばしてなる。
【００２６】
シリンダ２２内には、上向き段部上にコイルスプリング２４を載せ、そのコイルスプリング２４を介してピストン２５を収納し、シリンダ室Ｓを区画する。ピストン２５には、シリンダ室Ｓ内と外部とを連通する連通路２５ａを設け、その連通路２５ａを塞ぐように弾性弁２６を取り付けてなる。
【００２７】
ピストン２５の上部は、噴出管２８内に挿入して円錐部２５ｂを下向き段部２８ａに押し当てる。噴出管２８は、ネジキャップ１２の中心孔１５ｂを貫通して上向きに突出する一方、下部をシリンダ２２内に収納してなる。そして、噴出管２８の下部外周２８ｂをシリンダ２２の上部内周に押し当ててそのシリンダ２２との間を液密に保持するとともに、内筒部１５の頂部１５ａとの間でパッキン２０を圧縮してなる。
【００２８】
噴出管２８の上部には、噴出管２８内の噴出路２８ｃと内部流路３０ａとを連通して操作釦３０を取り付ける。操作釦３０には、内部流路３０ａと連通してノズル部３１を設け、そのノズル部３１に、噴出口３２ａを有するノズル部材３２を取り付ける。図６には、そのノズル部材３２を取り付ける前の操作釦３０の中央縦断面を示す。そして、この操作釦３０は、ロック位置にある上述したロック部材１８内にノズル部３１を収納し、上部外周の下向き段部３０ｂをロック部材１８の上端面と対向してなる。
【００２９】
これにより、図１および図２に示す状態では、ロック部材１８は上動してロック位置に保持するから、操作釦３０の頂面３０ｃに指を掛けて操作釦３０を押し下げようとしても、下向き段部３０ｂをロック部材１８の上端面に当ててその操作釦３０の押し下げを阻止してなる。
【００３０】
このように、図示例では、不使用時に、筒形状のロック部材１８を上動してロック位置とし、噴出管２８のまわりを被って設けるから、見栄えをよくすることができるとともに、ロック部材１８内に操作釦３０のノズル部３１を収納するから、別途キャップカバーを被せる必要なく、ノズル部３１等にほこりがつくことを防止することができる。
【００３１】
また、突部１６ｃを下嵌合凹部１９ｃ内にはめ込んでロック部材１８の下動を阻止するから、操作釦３０の押し下げを確実にロックすることができる。
【００３２】
さて、いま、この噴出容器を使用するときは、ロック部材１８を持って回動する。そして、小突起ｂを乗り越えて突部１６ｃを下嵌合凹部１９ｃ内から出し、突部１６ｃの上端面ｍと下嵌合凹部１９ｃの下向き段部ｎとの係合を外して溝部１９内の傾斜部１９ａ内に入れ、傾斜部１９ａ内を通して突部１６ｃを移動してロック部材１８を下動する。
【００３３】
そして、ロック部材１８の下部をネジキャップ１２の環状凹部１４ａ内に収納し、突き当たったところでロック部材１８をさらに回動して小突起ａを乗り越えて突部１６ｃを上嵌合凹部１９ｂ内に入れる。これにより、図７および図８に示すように突部１６ｃの下端面ｑに上嵌合凹部１９ｂの上向き段部ｒを突き当てて該ロック部材１８の上動を阻止し、ロック部材１８を、操作釦３０の押し下げを可能とするロック解除位置に位置決め保持する。
【００３４】
その後、容器本体１０を持って操作釦３０の噴出口３２ａを目的部位に向け、頂面３０ｃに指を当てて操作釦３０を押し下げ、図９および図１０に示すように噴出管２８を押し込んでコイルスプリング２４に抗してピストン２５を押し下げ、シリンダ室Ｓ内の容積を狭めてそのシリンダ室Ｓ内の圧力を高める。
【００３５】
そして、シリンダ室Ｓ内の圧力の高まりとともに、やがて弾性弁２６を開き、吸上げ管２３を介してシリンダ室Ｓ内まで吸上げた容器本体１０内の内容物を、連通路２５ａを通して吐出し、噴出管２８に対してピストン２５が相対移動して下向き段部２８ａから円錐部２５ｂを離し、噴出路２８ｃを通して操作釦３０の内部流路３０ａに入れ、操作釦３０のノズル部３１に設ける噴出口３２ａから噴出する。
【００３６】
ピストン２５の内外圧力差が低下すると、コイルスプリング２４の付勢力でピストン２５が上動して円錐部２５ｂが下向き段部２８ａに押し当たり、噴出口３２ａからの内容物の噴出を停止する。その後、操作釦３０から指を離すと、コイルスプリング２４の付勢力で噴出管２８が自動復帰する。
【００３７】
使用後は、再びロック部材１８を持って今度は逆方向に回動する。そして、小突起ａを乗り越えて突部１６ｃを上嵌合凹部１９ｂ内から出し、突部１６ｃの下端面ｑと上嵌合凹部１９ｂの上向き段部ｒとの係合を外して溝部１９内の傾斜部１９ａ内に入れ、傾斜部１９ａ内を通して突部１６ｃを移動してロック部材１８を上動する。
【００３８】
そして、ロック部材１８の下部をネジキャップ１２の環状凹部１４ａ内から出し、ロック部材１８を上動して回動し、小突起ｂを乗り越えて突部１６ｃを再び下嵌合凹部１９ｃ内に入れ、図１および図２に示すように突部１６ｃの上端面ｍに下嵌合凹部１９ｃの下向き段部ｎを突き当てて該ロック部材１８の下動を阻止し、ロック部材１８をロック位置で位置決め保持してなる。
【００３９】
このように、図示例では、使用時は、ロック部材１８を下動してロック解除位置とし、操作釦３０の押し下げを可能とするから、使用時にはロック部材１８が邪魔にならず、操作釦３０の操作性を向上することができる。
【００４０】
また、各嵌合凹部１９ｂ・１９ｃの入り口に、突部１６ｃと係合してロック部材１８の操作にクリック感を付与する小突起ａ・ｂを設けるから、ロック部材１８をロック位置またはロック解除位置に位置決める位置決め操作性を向上するとともに、クリック感により操作を確認して位置決め操作の確実性を高めることができる。
【００４１】
なお、ネジキャップ１２やロック部材１８は、ポリアセタールやポリオレフィン系樹脂などでつくるが、それら両部材を同材質でつくると、クリック感をよくし、一層位置決め操作性を向上するとともに、位置決め操作の確実性を高めることができる。
【００４２】
【発明の効果】
したがって、この発明によれば、不使用時は、ロック部材を上動してロック位置とし、操作釦の押し下げを阻止するから、操作釦のロック操作時に容器本体の内容物を無駄に消費することがない。また、使用時は、ロック部材を下動してロック解除位置とし、操作釦の押し下げを可能とするから、ロック部材が邪魔にならず、使用時における操作釦の操作性を向上することができる。ポンプ式の噴出容器に限らず、エアゾール式の噴出容器にも適用することができる。
【００４３】
請求項２に係る発明によれば、ロック部材を筒形状とし、不使用時には上動してロック位置とし、噴出管のまわりを被って設けるから、ロック解除の操作性がよく、見栄えもよくすることができる。また、ロック部材を筒形状とするから、ロック部材をロック位置としたとき、ロック部材と操作釦の係合が確実で、不用意に操作釦との係合が外れるおそれがなく、誤って操作釦が押し下げられることもない。
【００４４】
また、この発明によれば、不使用時に、ロック部材をロック位置としたとき、そのロック部材内に操作釦のノズル部を収納し、操作釦の上部に設ける段部をロック部材に当てて操作釦の押し下げを阻止するから、不使用時の見栄えをよくするとともに、別途キャップカバーを被せる必要なく、ロック部材で被ってノズル部等にほこりがつくことを防止することができる。
【００４５】
さらに、この取付部材とロック部材のいずれか一方に突部を、他方にその突部が係合する溝部を形成するとともに、その溝部の両端に突部が入り込んでロック部材をロック位置またはロック解除位置に位置決めする嵌合凹部を形成するから、ロック部材の位置決め操作性を向上するとともに、位置決め操作の確実性を高めることができる。
【００４６】
請求項３に係る発明によれば、嵌合凹部の入り口に、突部と係合してロック部材の操作にクリック感を付与する小突起を設けるから、クリック感により操作確認を可能として、同じくロック部材の位置決め操作性を向上するとともに、位置決め操作の確実性を高めることができる。
【図面の簡単な説明】
【図１】この発明による噴出容器における不使用時の中央部分縦断面図である。
【図２】その噴出容器の背面図である。
【図３】それに使用するネジキャップで、（Ａ）は平面図、（Ｂ）は正面図である。
【図４】ロック部材の中央縦断面図である。
【図５】（Ａ）はその平面図、（Ｂ）は底面図である。
【図６】ノズル部材を取り付ける前の操作釦の中央縦断面図である。
【図７】上記噴出容器におけるロック解除状態の中央部分縦断面図である。
【図８】その噴出容器の背面図である。
【図９】上記噴出容器における噴出状態の中央部分縦断面図である。
【図１０】その噴出容器の背面図である。
【図１１】従来の噴出容器の外観斜視図である。
【符号の説明】
１０    容器本体
１０ａ  口部
１２    ネジキャップ
１４    キャップ部
１４ａ  環状凹部
１６    外筒部
１６ｂ  円弧部
１６ｃ  突部
１８    ロック部材
１９    溝部
１９ａ  傾斜部
１９ｂ  上嵌合凹部
１９ｃ  下嵌合凹部
２２    シリンダ
２５    ピストン
２６    弾性弁
２８    噴出管
３０    操作釦
３０ｂ  下向き段部
３１    ノズル部
３２    ノズル部材
３２ａ  噴出口
Ｐ    ポンプ装置
Ｓ    シリンダ室
ａ    小突起
ｂ    小突起
【図１】
0003940252.tif 000002
【図２】
0003940252.tif 000003
【図３】
0003940252.tif 000004
【図４】
0003940252.tif 000005
【図５】
0003940252.tif 000006
【図６】
0003940252.tif 000007
【図７】
0003940252.tif 000008
【図８】
0003940252.tif 000009
【図９】
0003940252.tif 000010
【図１０】
0003940252.tif 000011
【図１１】
0003940252.tif 000012